(57)【要約】  【課題】液体調味料の液漏れや液だれがなく円滑な注ぎが可能となり、容器上部開口部の径の大小にかかわらず確実な取り付けが可能となる。また、容器内に保存されている液体調味料の保存状態を適切に維持できる液体調味料注ぎ口部材を提供する。  【解決手段】コルク材から成り、軸方向に外径が漸増する筒状で、略中心部に軸方向に貫通する内孔部１２を有するコルク栓１の内孔部１２に、竹材から成り、軸方向に貫通し液体調味料の注入通路となる内孔部を有する注ぎ口部２を弾性密着係合した。注ぎ口２の先端部は斜めカットされ、注ぎ口部２の下端はコルク栓１の下端部と略一致している。【選択図】      図３
2005255191.tif 000002
【特許請求の範囲】
【請求項１】
コルク材から成り、軸方向に外径が漸増する筒状で、略中心部に軸方向に貫通する内孔部を有するコルク栓と、
竹材から成り、前記コルク栓の前記内孔部に弾性密着係合し、軸方向に貫通した液体調味料の注入通路となる内孔部を有する注ぎ口部と、
を備えることを特徴とする液体調味料注ぎ口部材。
【請求項２】
前記注ぎ口の先端部は斜めカットされていることを特徴とする請求項１に記載の液体調味料注ぎ口部材。
【請求項３】
前記注ぎ口部の下端が前記コルク栓の下端部と略一致していることを特徴とする請求項１又は２に記載の液体調味料注ぎ口部材。
【発明の詳細な説明】
【技術分野】
【０００１】
本発明は液体調味料注ぎ口部材に関し、特に液だれを大幅に減少せしめ、密封性が高く、適用容器への拡張性が高い液体調味料注ぎ口部材に関する。
【背景技術】
【０００２】
従来、醤油等の液体調味料はビンやプラスチック等の容器内に保存され、被調理材に加えるときには、容器のフタを明けて注ぎ込んでいる。一方、醤油等の液だれがしやすい液体調味料の場合には、容器の上部に、液体の流れを円滑にするための注ぎ口をねじ等により螺合させて、当該注ぎ口から液体調味料を注ぎ込むようにしている。
【発明の開示】
【発明が解決しようとする課題】
【０００３】
しかしながら、従来の液体調味料注ぎ口部材では、容器上部に注ぎ口をねじ止めしているため、容器と注ぎ口との嵌合部に液体調味料（液体調味料）が留まることが多く、その状態が長期間続くと、当該嵌合部の隙間に液体調味料が凝固してしまい、注ぎ口からの液体調味料の円滑な注ぎができないばかりでなく、凝固部分から液体調味料が漏れてしまうという問題があった。
【０００４】
また、注ぎ口を取り付ける容器の上部嵌合部の外径は、一般的には標準的なサイズとされ、注ぎ口の内径も当該外径に適合させるように標準的なサイズとされていた。しかしながら、容器上部嵌合部のサイズは時に標準サイズとは異なるものも多い。このような特殊なサイズ口径をもつ容器に対しては適切な注ぎ口を取り付けることができない。
【０００５】
そこで、本発明の目的は、液体調味料の液漏れや液だれがなく円滑な注ぎを可能とする液体調味料注ぎ口部材を提供することである。
【０００６】
本発明の他の目的は、容器上部開口部の径の大小にかからわず確実な取り付けを可能とする液体調味料注ぎ口部材を提供することにある。
【０００７】
本発明の更に他の目的は、容器内に保存されている液体調味料の保存状態を適切に維持できる液体調味料注ぎ口部材を提供することにある。
【課題を解決するための手段】
【０００８】
前述の課題を解決するため、本発明による液体調味料注ぎ口部材は、次のような特徴的な構成を採用している。
【０００９】
（１）コルク材から成り、軸方向に外径が漸増する筒状で、略中心部に軸方向に貫通する内孔部を有するコルク栓と、
竹材から成り、前記コルク栓の前記内孔部に弾性密着係合し、軸方向に貫通した液体調味料の注入通路となる内孔部を有する注ぎ口部と、
を備える液体調味料注ぎ口部材。
【００１０】
（２）前記注ぎ口の先端部は斜めカットされている上記（１）の液体調味料注ぎ口部材。
【００１１】
（３）前記注ぎ口部の下端が前記コルク栓の下端部と略一致している上記（１）又は（２）の液体調味料注ぎ口部材。
【発明の効果】
【００１２】
本発明の液体調味料注ぎ口部材によれば、液体調味料の液漏れや液だれがなく円滑な注ぎが可能となり、容器上部開口部の径の大小にかからわず確実な取り付けが可能となる。また、容器内に保存されている液体調味料の保存状態を適切に維持できる。
【実施例１】
【００１３】
以下、本発明による液体調味料注ぎ口部材の好適実施例の構成について添付図面を参照して説明する。
【００１４】
図１は本発明による液体調味料注ぎ口部材の一実施例で用いるコルク栓１を示す斜視図である。図２は本発明による液体調味料注ぎ口部材の一実施例で用いるコルク栓に貫通させる竹材から成る注ぎ口２を示す斜視図である。また、図３は図１と図２に示すコルク栓１と注ぎ口２を結合して利用した液体調味料注ぎ口部材（注ぎ口部材）の斜視図である。
【００１５】
図１を参照すると、本実施例のコルク栓１は、側面１１を斜面構成（軸方向に外径が漸増する筒状）とし、上部の上開口部１０と下部の開口部１３に連なる略中心部に軸方向に貫通する内孔部１２が形成されている。したがって、このコルク栓１は下部開口部１３から上部開口部１０を内孔部１２が貫通していることになる。
【００１６】
図２を参照すると、本実施例の注ぎ口２は、外径が略同一の筒状構造を有し、弾性特性を持つコルク材から成り、上部の上開口部２０と下部の開口部２１に連なる筒部２２が形成されている。この注ぎ口２は、竹材から成り、筒部２２が上記コルク栓の内孔部１２にコルク材の弾性特性により密着係合されている。注ぎ口２の上部端は斜めカットされており、液体調味料が長手側から流れ出やすいようにされている。このように、注ぎ口２は下部開口部２１から上部開口部２０を内孔部が貫通している。この内孔部の内径は略同一で、しかも注ぎ口２が竹材から成っているため、液体調味料の流れは円滑であり、また、竹材特有の特性から液体調味料が凝固することも従来のプラスチック材料と比較すると少ない。
【００１７】
さて、本発明による液体調味料注ぎ口部材は、図１に示すコルク栓１の内孔部１２に、図２に示す注ぎ口２を挿入することにより構成される。コルク栓１自体は弾性特性を有し、拡張力、伸縮力があり、コルク栓１の内孔部１２の内径よりも若干大きい外径の注ぎ口２の筒部２２を挿入することができるし、両者の嵌合部の密着度はきわめて高く、また、かかる構成の液体調味料注ぎ口部材を容器に嵌め込めば、容器内に保存されている液体調味料の密封度が確保できる。
【００１８】
図３にはこうして構成された液体調味料注ぎ口部材の斜視図が示されている。図２に示す竹材から成る注ぎ口２の筒部２２の下部を、コルク栓１の上部開口部１０から押し込んで挿入し、上部Ｌ部分だけが突出、露出するまで挿入する。注ぎ口２の下端はコルク栓１の下端と略一致させるのが好ましい。
【００１９】
図４には、図３に示すように構成された注ぎ口部材のコルク栓１の側面１１が容器１００の首部１１０の開口部１２０に挿入した状態の斜視図が示されている。上述のように、本実施例による液体調味料注ぎ口部材は、通常用いられているコルク栓１に竹材から成る注ぎ口２を挿入した注ぎ口部材を容器１００内に挿入して取り付けているので、機密性や通気性等のコルク栓特有の特性が生かせる。また、コルク栓の斜面は傾斜しており、容器の首部等の取り付け部の内径にバラツキがあっても挿入は容易であり、使用性の面での柔軟性に富む。更に、注ぎ部２の上部は斜めカットされているため液体調味料の注出は確実に行われ、液漏れや液だれが生じにくい。
【００２０】
以上、本発明による液体調味料注ぎ口部材の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２１】
【図１】本発明による液体調味料注ぎ口部材の一実施例で用いるコルク栓１を示す斜視図である。
【図２】本発明による液体調味料注ぎ口部材の一実施例で用いるコルク栓に貫通させる竹材から成る注ぎ口２を示す斜視図である。
【図３】図１と図２に示すコルク栓１と注ぎ口２を利用した液体調味料注ぎ口部材（注ぎ口部材）の斜視図である。
【図４】図３に示すように構成された注ぎ口部材を容器に挿入して取り付けた状態の斜視図である。
【符号の説明】
【００２２】
１      コルク栓
１０    上部開口部
１１    側面
１２    内孔部
１３    下部開口部
２    注ぎ口
２０    上部開口部
２１    下部開口部
２２    内孔部
１００  容器
１１０  首部
１２０  開口部
【図１】
2005255191.tif 000003
【図２】
2005255191.tif 000004
【図３】
2005255191.tif 000005
【図４】
2005255191.tif 000006